(57)【要約】      （修正有）【課題】ワームを模した軟質材からなるルアー本体に対してリップ部材を容易に着脱できるようにしたワームルアー用リップ部材を提供する。【解決手段】軟質材からなるルアー本体２の前端部もしくはその近傍部位に取り付けられる硬質材からなるワームルアー用リップ部材１であって、基板３と、該基板３の前部に立ち上げ形成され、フック７１を挿通させるための開口８を有する係止部材４と、該基板３の前端から斜め下方に延出されるリップ本体５と、を備え、基板３の上面には、ルアー本体２に押し込まれることにより抜け止め状態に掛止される先尖り状の鉤状掛止片６１，６２，６３，６４が形成されている。【選択図】図１
0003151272.tif 000002
【実用新案登録請求の範囲】
【請求項１】
軟質材からなるルアー本体の前端部もしくはその近傍部位に取り付けられる硬質材からなるワームルアー用リップ部材であって、
基板と、該基板の前部に立ち上げ形成され、フックを挿通させるための開口を有する係止部材と、該基板の前端から斜め下方に延出されるリップ本体と、を備え、
前記基板の上面には、ルアー本体に差し込まれることにより抜け止め状態に掛止される先尖り状の掛止凸部が突設されることを特徴とするワームルアー用リップ部材。
【請求項２】
前記硬質材は、アクリル樹脂、ＡＢＳ樹脂又はジュラコン（ＰＯＭ）からなることを特徴とする請求項１に記載のワームルアー用リップ部材。
【請求項３】
前記係止部材の開口には、外部からフックを挿入するためのスリットが形成されることを特徴とする請求項１又は２に記載のワームルアー用リップ部材。
【請求項４】
オフセットフック使用時に、オフセット部分を逃がすためのスリットが、前記基板の後端から前方に向けて形成されることを特徴とする請求項１又は２に記載のワームルアー用リップ部材。
【請求項５】
前記リップ本体を略縦長矩形状に形成し、前記リップ本体の下向き傾斜角度θ１＝60°〜70°に設定すると共に、その長手方向の略中央部で下方に屈曲させ、その中折れ角度θ２＝15°〜25°に設定したことを特徴とする請求項１乃至４の何れかに記載のワームルアー用リップ部材。
【請求項６】
前記リップ本体を略矩形板状に形成し、その長さをＡ２、幅をＢ２、前記リップ本体の下向き傾斜角度をθ３とした場合に、Ｂ２／Ａ２＝４／５〜１であり、かつθ３＝75°〜85°に設定されることを特徴とする請求項１乃至４の何れかに記載のワームルアー用リップ部材。
【請求項７】
前記リップ本体を、後方に向けて凹ませたスプーン状に形成したことを特徴とする請求項１乃至４の何れかに記載のワームルアー用リップ部材。
【請求項８】
前記リップ本体と基板の裏面側には、補強用リブが差し渡し形成されることを特徴とする請求項１乃至６の何れかに記載のワームルアー用リップ部材。
【考案の詳細な説明】
【技術分野】
【０００１】
本考案は、ワームルアーに何ら加工を施すことなく容易に取り付けられるワームルアー用リップ部材に関する。
【背景技術】
【０００２】
ポリ塩化ビニール材等の軟質合成樹脂材で各種のワームルアーは、誘魚効果を向上させるために、釣り対象となる魚の実際の餌に酷似した形状に形成されて着色が施され、あたかも水中でワームが泳動しているかのようにルアー本体が揺動動作をするような工夫が施される。このようなワームルアーでは、潜水機能や揺動機能を付与するために、ルアー本体の前端部にリップを取り付けたものが公知である（例えば、特許文献１，２参照）。
【０００３】
そのリップは水流抵抗板，整流板等とも称され、釣糸が引かれた際に、また河川等での水流によって、リップが水中で抵抗を受けることによりルアー本体を潜行させたり揺動動作させたりする。このようなリップについては種々改良が施され、例えばリップの上部からルアーボディの上部に沿った外形ラインを滑らかに形成したリップ付きルアーも提案されている（例えば、特許文献１参照）。また、リップの裏面両サイドに抉れ（えぐれ）を形成した釣り用ルアーも提案されている（例えば、特許文献２）。
【先行技術文献】
【特許文献】
【０００４】
【特許文献１】特開平８−２０５７１３号公報
【特許文献２】特開２００３−１８０２０１号公報
【考案の概要】
【考案が解決しようとする課題】
【０００５】
ところで、ワームルアーを使用する際に、釣り場によっては、比較的に水深の浅いところにワームルアーを潜らせたい場合と、深い箇所に潜らせたい場合とがある。また、釣り対象となる魚の種類によっては、ワームルアーをキビキビとした揺動動作をさせたいこともある。しかし、上述のような従来のリップ付きのワームルアーでは、そのリップがルアー本体に予め固定状態に取り付けられているため、常に同じ動作機能しか得られず、異なる潜水機能や揺動機能の選択ができないという問題があった。
【０００６】
そのため、潜水機能や揺動機能を変化させるには、ワームルアーそのものを取り替えなければならなかった。このような取り替え作業は大変面倒であるだけでなく、多種類のワームルアーを揃えて釣り場に携行するのは持ち物が嵩張るだけでなく経済的にも負担が多くなるという問題があった。また、従来のリップ付きワームルアーでは、このようなユーザーの要望（機能の選択）に適切に応えるだけのリップの種類が充分に用意されていなかった。
【０００７】
本考案は、このような事情に鑑みてなされ、ワームを模した軟質材からなるルアー本体に対してリップ部材を容易に着脱できるようにしたワームルアー用リップ部材を提供することを目的とする。また、ユーザーが所望の機能を選択できるように、異なる機能を備えたリップ部材を提供することをも目的とする。
【課題を解決するための手段】
【０００８】
本考案は、上述の課題を解決するための手段を以下のように構成している。即ち、軟質材からなるルアー本体の前端部もしくはその近傍部位に取り付けられる硬質材からなるワームルアー用リップ部材であって、
基板と、該基板の前部に立ち上げ形成され、フックを挿通させるための開口を有する係止部材と、該基板の前端から斜め下方に延出されるリップ本体と、を備え、
前記基板の上面には、ルアー本体に差し込まれることにより抜け止め状態に掛止される先尖り状の掛止凸部が突設されることを特徴とする。
【０００９】
前記硬質材は、アクリル樹脂、ＡＢＳ樹脂又はジュラコン（ＰＯＭ）からなるものであってもよい。
【００１０】
前記係止部材の開口には、外部からフックを挿入するためのスリットが形成されてもよい。
【００１１】
オフセットフック使用時に、オフセット部分を逃がすためのスリットが、前記基板の後端から前方に向けて形成されてもよい。
【００１２】
前記リップ本体を略縦長矩形状に形成し、前記リップ本体の下向き傾斜角度θ１＝60°〜７０°に設定すると共に、その長手方向の略中央部で下方に屈曲させ、その中折れ角度θ２＝15°〜25°に設定してもよい。
【００１３】
前記リップ本体を略矩形板状に形成し、その長さをＡ２、幅をＢ２、前記リップ本体の下向き傾斜角度をθ３とした場合に、Ｂ２／Ａ２＝４／５〜１であり、かつθ３＝75°〜85°に設定されてもよい。
【００１４】
前記リップ本体を、後方に向けて凹ませたスプーン状に形成してもよい。
【００１５】
前記リップ本体と基板の裏面側には、補強用リブが差し渡し形成されてもよい。
【考案の効果】
【００１６】
本考案のワームルアー用リップ部材は、軟質材からなるルアー本体に何ら加工を施すことなく、基板の上面に突設された先尖り状の掛止凸部をルアー本体に差し込むことにより、ルアー本体に抜け止め状態に容易に掛止させることができる。従って、釣り現場で、好みのワームルアー用リップ部材を適宜選択してルアー本体に容易に装着することができ、興趣に富んだフィッシングを楽しむことができる。
【００１７】
このようなワームルアー用リップ部材にあって、リップ部材を構成する硬質材を、アクリル樹脂、ＡＢＳ樹脂又はジュラコン（ＰＯＭ）にすれば充分な硬さが得られるため、例えばポリ塩化ビニール等の軟質合成樹脂やゴム等で形成されたルアー本体に対して先尖り状の掛止凸部を安定な抜け止め状態で掛止させることができる。また、成形性が良好で容易に製作することができ、安価に提供することができる。
【００１８】
前記係止部材の開口にスリットを形成しておけば、そのスリットを介して外部からフックを容易に開口に挿入することができるため、リップ部材の取り付け作業が容易となる。例えば、ルアー本体にフックを差し込んでその針先をルアー本体の上部から上方に突出させた後で、そのフックのルアー本体の前部から突出している部分に下方からスリットを対応させてフックの一部を開口に挿入すると共に、先尖り状の掛止凸部をルアー本体の前端部に下方から差し込めば、ワームルアー用リップ部材をルアー本体に対して安定な抜け止め状態で掛止させることができる。
【００１９】
オフセットフック使用時に、オフセット部分を逃がすためのスリットを、前記基板の後端から前方に向けて形成しておけば、例えば、オフセットフックをワームルアー用リップ部材の開口の根元まで差し込んだ後で、フックをルアー本体の前端から差し込んでその針先をルアー本体の上部から上方に突出させた後、フックのオフセット部分を基板に形成してあるスリットに嵌め込んで逃がすようにして、先尖り状の掛止凸部をルアー本体の前端部に下方から差し込めば、ワームルアー用リップ部材をルアー本体に対して安定な抜け止め状態で掛止させることができる。
【００２０】
前記リップ本体を縦長矩形状に形成し、前記リップ本体の下向き傾斜角度θ１＝60°〜７０°に設定すると共に、その長手方向の略中央部で下方に屈曲させ、その中折れ角度θ２＝15°〜25°に設定すれば、ワームルアーを水中で機敏に（キビキビと）揺動させることができる。尚、リップ本体の下向き傾斜角度θ１が60°未満では、ルアー本体を潜行させにくくなり、下向き傾斜角度θ１が70°を超えると、潜行動作が不安定になりやすい。また、中折れ角度θ２が15°未満では、ワームルアーの揺動動作が緩慢になりやすく、中折れ角度θ２が25°を超えると、揺動動作が不安定になりやすい。
【００２１】
前記リップ本体を、矩形板状に形成し、その長さをＡ２、幅をＢ２、前記リップ本体の下向き傾斜角度をθ３とした場合に、Ｂ２／Ａ２＝４／５〜１であり、かつθ３＝75°〜85°に設定すれば、水面下10ｃｍ〜30ｃｍの浅い範囲でルアー本体を潜行させて大きな横振れ状態に揺動動作させることができる。尚、Ｂ／Ａ２が４／５未満又はリップ本５の下向き傾斜角度θ３が75°未満では横振れ振幅が小さくなり、Ｂ／Ａ２が１を超えるか下向き傾斜角度θ3が85°を超えると横振れ動作が不安定になりやすい。
【００２２】
前記リップ本体を、後方に向けて凹ませたスプーン状に形成すれば、釣糸が引かれた時等に水を効果的に捕捉することができるため、ルアー本体を深く潜らせることができる。
【００２３】
前記リップ本体と基板の裏面側に補強用リブを差し渡し形成すれば、リップ本体が水の抵抗を受けた際に変形したり破損するのを防ぐことができる。
【図面の簡単な説明】
【００２４】
【図１】(ａ)は実施の形態1に係るワームルアー用リップ部材の斜視図、（ｂ）はワームルアー用リップ部材をルアー本体に取り付けた状態の斜視図である。
【図２】（ａ）〜（ｄ）は同ワームルアー用リップ部材の一例を示し、（ａ）は平面図、（ｂ）は正面図、（ｃ）は側面図、（ｄ）は斜視図である。
【図３】（ａ）〜（ｄ）は同ワームルアー用リップ部材の他の例を示し、（ａ）は平面図、（ｂ）は正面図、（ｃ）は側面図、（ｄ）は斜視図である。
【図４】（ａ）〜（ｄ）は同ワームルアー用リップ部材の別の例を示し、（ａ）は平面図、（ｂ）は正面図、（ｃ）は側面図、（ｄ）は斜視図である。
【図５】（ａ）〜（ｄ）は同ワームルアー用リップ部材の異なる例を示し、（ａ）は平面図、（ｂ）は正面図、（ｃ）は側面図、（ｄ）は斜視図である。
【図６】(ａ)は実施の形態２に係るワームルアー用リップ部材の斜視図、（ｂ）はワームルアー用リップ部材をルアー本体に取り付けた状態の斜視図である。
【図７】（ａ）〜（ｄ）は同ワームルアー用リップ部材の一例を示し、（ａ）は平面図、（ｂ）は正面図、（ｃ）は側面図、（ｄ）は斜視図である。
【図８】（ａ）〜（ｄ）は同ワームルアー用リップ部材の他の例を示し、（ａ）は平面図、（ｂ）は正面図、（ｃ）は側面図、（ｄ）は斜視図である。
【図９】（ａ）〜（ｄ）は同ワームルアー用リップ部材の別の例を示し、（ａ）は平面図、（ｂ）は正面図、（ｃ）は側面図、（ｄ）は斜視図である。
【図１０】（ａ）〜（ｄ）は同ワームルアー用リップ部材の異なる例を示し、（ａ）は平面図、（ｂ）は正面図、（ｃ）は側面図、（ｄ）は斜視図である。
【考案を実施するための形態】
【００２５】
以下に、本考案のワームルアー用リップ部材の実施の形態について図面を参照しつつ詳細に説明する。
〔実施の形態１〕
図１（ａ）はストレートフック用のワームルアー用リップ部材１の斜視図、（ｂ）はワームを模したルアー本体２の前端部にワームルアー用リップ部材１を取り付けた使用可能状態の斜視図である。そのルアー本体２は、ポリ塩化ビニール材等の軟質合成樹脂材又はゴム等で形成される一方、ワームルアー用リップ部材１は、アクリル樹脂、ＡＢＳ樹脂又はジュラコン（ＰＯＭ）等の硬質合成樹脂材で形成される。そのワームルアー用リップ部材１は、矩形の平板状に形成される基板３と、その基板３の前部に立ち上げられる係止部材４と、基板３の前端から斜め下方に延出される平板状のリップ本体５と、を備えている。その基板３の上面には、抜け止め効果のある先尖りの掛止凸部６が突設されている。この掛止凸部６は、基板３の中間部の両側に間隔をおいて立設される２本の鉤状掛止片６１，６２と、基板３の後部に立設される一対の鉤状掛止片６３，６４とからなり、後部に立設される鉤状掛止片６３，６４の間には、ストレートフック７１の直線部分を挿通させるための隙間ｃが形成されている。また、係止部材４には、ストレートフック７１を挿通させるための開口８が形成され、その開口８には、外部からストレートフック７１を開口８に挿入するためのスリット９が上向きに形成されている。
【００２６】
このように構成されるワームルアー用リップ部材１は、軟質材からなるルアー本体２に何ら加工を施すことなく、基板３の上面に突設された硬度のある先尖り状の掛止凸部６をルアー本体２に差し込むことにより、ルアー本体２に対して安定な抜け止め状態に掛止させることができる。ストレートフック７１を使用する場合の取り付け手順について説明すると、まず、ストレートフック７１をルアー本体２の前端から中に差し込んで針先７１ａをルアー本体２の上部から突出させ、錘７１ｂから上方に延びている糸孔７１ｃを上方に向けた状態とする。次いで、ストレートフック７１のルアー本体２から突出している根元部分に対して、ワームルアー用リップ部材１のスリット９を下方から対応さて、基板３をルアー本体２の前端下部に押し込むと、ワームルアー用リップ部材１の開口８に、ルアー本体２から突出しているストレートフック７１の突出部分が嵌入され、鉤状掛止片６１，６２が、既にルアー本体２内に差し込まれているストレートフック７１の直線部分を跨ぐように差し込まれ、かつ鉤状掛止片６３，６４間の隙間ｃにストレートフック７１の直線部分が挟まれる（図１（ｂ）の状態）。このようなワームルアー用リップ部材１の装着状態では、ワームルアー用リップ部材１はストレートフック７１と共に、ルアー本体２に対して安定な掛止状態に固定されている。
【００２７】
その掛止状態では、キャスティング時及び着水後のワームルアーの遊泳時、潜行時においてワームルアー用リップ部材１がルアー本体２から外れないように安定に保持される。また、取り外す際には、ワームルアー用リップ部材１を少し拗る（こじる）ようにすれば容易に引き抜くことができる。従って、釣り現場で、好みのワームルアー用リップ部材１を適宜選択してルアー本体２に容易に着脱することができる。また、このようなワームルアー用リップ部材１は、樹脂材の型成形により種々の形状に容易に製作できるため安価に提供できるので、機能の異なるワームルアー用リップ部材１を必要数揃えて携行することにより、興趣に富んだフィッシングをエンジョイすることができる。そのリップ本体５による誘魚効果を向上させるための機能は、リップ本体５の面積や形状を変化させることによって多彩に変化させることができる。
【００２８】
図２（ａ）〜（ｄ）に示すワームルアー用リップ部材１では、リップ本体５は平板状に形成され、その長さＡ１＝12mm(10〜15mm)、幅Ｂ１＝6.06mm(6.0〜6.4mm)、厚みd1＝0.6mm(0.4〜0.8mm)、基板３の長さＣ＝11mm、幅Ｄ＝5mm、厚みｅ＝0.8mm(0.6〜1.0mm)、リップ本体５の下向き傾斜角度θ１＝65°(60°〜70°)に設定される。そして、リップ本体５と基板３の裏面側には補強用のリブ１０が差し渡し形成されている。そのリブ１０は、リップ本体５の中央に１本設けられてもよく、リップ本体５の両側に２本設けられてもよい。このタイプのワームルアー用リップ部材１は、水面下30ｃｍ〜1mの範囲で潜行し潜行深度の幅が比較的に広いのが特徴である。尚、リップ本体５の下向き傾斜角度θ１が60°未満ではルアー本体２が潜行しにくくなり、下向き傾斜角度θ１が70°を超えるとルアー本体２の潜行動作が不安定になる。図示の例では、リップ本体５の幅はやや下広がり状に形成されて先端角部がＲ状に形成されるが、長手方向に同一幅で略矩形状に形成されてもよい。
【００２９】
図３（ａ）〜（ｄ）に示すワームルアー用リップ部材１では、リップ本体５は、長手方向の略中央部で下方に屈曲させている。その下向きの中折れ角度θ２は20°(15°〜25°)に設定され、その他の寸法、即ち、リップ本体５の長さ(符号省略)、リップ本体5の幅Ｂ１、厚みd1、基板３の長さＣ、幅Ｄ、リップ本５の下向き傾斜角度θ１は、図２（ａ）〜（ｄ）のワームルアー用リップ部材１と同じ程度に設定されてよい。このタイプのワームルアー用リップ部材１は、水面下15ｃｍ〜45ｃｍの範囲の比較的に浅い深度で潜行し、キビキビした揺動動作をする。尚、中折れ角度θ２が15°未満では、ワームルアーの揺動動作が緩慢になりやすく、中折れ角度θ２が25°を超えると、揺動動作が不安定になりやすい。また、図示の例では、リップ本体５の幅はやや下広がり状に形成されて先端角部がＲ状に形成されるが、長手方向に同一幅で略矩形状に形成されてもよいのは、図２（ａ）〜（ｄ）のワームルアー用リップ部材１と同じである。
【００３０】
図４（ａ）〜（ｄ）に示すワームルアー用リップ部材１では、リップ本体５は平板状の下広がり形状に形成されて先端角部がＲ状に形成され、その長さＡ２はやや短く、幅Ｂ２はやや大に設定され、リップ本体５の下向き傾斜角度θ３がやや大に設定される。即ち、長さＡ２＝10mm(8〜12mm)、幅Ｂ＝8.74mm(7.0〜10mm)、厚みd1＝0.6mm(0.4〜0.8mm)、リップ本５の下向き傾斜角度θ３＝80°(75°〜85°)に設定される。リップ本体５の長さと幅の比率Ｂ／Ａ２＝４／５〜１の範囲が好ましい。基板３の長さＣ、幅Ｄ、厚みｅは、図２（ａ）〜（ｄ）のワームルアー用リップ部材１と同じである。このタイプのワームルアー用リップ部材１は、水面下10ｃｍ〜30ｃｍの浅い範囲で潜行し大きな横振れ状態に揺動動作する。尚、Ｂ／Ａ２が４／５未満では横振れ振幅が小さくなり、Ｂ／Ａ２が１を超えると横振れ動作が不安定になりやすい。また、リップ本５の下向き傾斜角度θ３が75°未満ではルアー本体２の横振れ振幅が小さくなり、下向き傾斜角度θ3が85°を超えるとルアー本体２の横振れ動作が不安定になりやすい。
【００３１】
図５（ａ）〜（ｄ）に示すワームルアー用リップ部材１では、リップ本体５は後方に向けて凹ませたスプーン状に形成されて先端角部がＲ状に形成される。リップ本体５の長さＡ１、幅Ｂ１、下向き傾斜角度θ１、及び、基板３の長さＣ、幅Ｄ、厚みｅは、図２（ａ）〜（ｄ）のワームルアー用リップ部材１と同じである。そのリップ本体５は、例えば厚みd2＝3mm(2〜4mm)、凹みの深さは1〜2mm程度に設定される。このタイプのワームルアー用リップ部材１は、釣糸が引かれた時等に、スプーン状に形成されたリップ本体５によって水を効果的に捕捉することができるため、水面下1.50ｍ以上の比較的に深い深度で潜行する。尚、図３〜図５に示すワームルアー用リップ部材１にも、図２に示すような補強用リブ１０を設けるのが好ましい。
【００３２】
〔実施の形態２〕
図６（ａ）はオフセットフック／ストレートフック兼用のワームルアー用リップ部材１の斜視図、（ｂ）はオフセットフック使用時にワームルアー用リップ部材１をワームルアーのルアー本体２の前端部に取り付けた使用可能状態の斜視図、（ｃ）はストレートフック使用時にワームルアー用リップ部材１をワームルアーのルアー本体２の前端部に取り付けた使用可能状態の斜視図である。このワームルアー用リップ部材１は、基板３の前部に立ち上げられた係止部材４に形成されている開口８にスリットが形成されていない点、及び、開口８にオフセットフックを挿入した際に、フックの先端近傍で下方に屈曲しているオフセット部分を逃がすためのスリット３ａが基板３の後端から前方に向けて形成される点が、実施の形態１のワームルアー用リップ部材１とは異なる。また、掛止凸部６は、左右一対の鉤状掛止片６１，６２からなる点も異なる。その他の構成については、実施の形態１のワームルアー用リップ部材と同じである。このように構成されるワームルアー用リップ部材１も、軟質材からなるルアー本体２に何ら加工を施すことなく、基板３の上面に突設された硬度のある先尖り状の掛止凸部６をルアー本体２に差し込むことにより、ルアー本体２に対して安定な抜け止め状態に掛止させることができる。
【００３３】
ルアー本体２への取り付け手順について説明すると、（Ｉ）オフセットフック７２を使用する場合（図６（ｂ）参照）、フック７２をワームルアー用リップ部材１の開口８に根元まで差し込む。次いで、フック７２をルアー本体２の前端から差し込み、針先７２ａをルアー本体２の上部から突出させる。そして、基板３に形成してあるスリット３ａに、フック７２のオフセット部分が嵌まるように対応させて、先尖り状の鉤状掛止片６１，６２をルアー本体２の前端下部に差し込めば、装着作業が完了する。このようなワームルアー用リップ部材１の装着状態（図６（ｂ）の状態）では、ワームルアー用リップ部材１はフック７２と共にルアー本体２に対して安定な掛止状態に固定されている。（II）ストレートフック７１を使用する場合（図６（ｃ）参照）、フック７１をワームルアー用リップ部材１の開口８に根元まで差し込む。次いで、フック７１をルアー本体２の前端から差し込み、針先７１ａをルアー本体２の上部から突出させ、錘７１ｂから上方に延びている糸孔７１ｃを上方に向けた状態とする。次いで、基板３に形成してある先尖り状の鉤状掛止片６１，６２をルアー本体２の前端下部に差し込めば、装着作業が完了する。このようなワームルアー用リップ部材１の装着状態（図６（ｂ）の状態）では、ワームルアー用リップ部材１はフック７１と共にルアー本体２に対して安定な掛止状態に固定されている。
【００３４】
以上のようなワームルアー用リップ部材１の掛止状態では、何れも、キャスティング時及び着水後のワームルアーの遊泳時、潜行時においてワームルアー用リップ部材１がルアー本体２から外れないように安定に保持される。また、取り外す際には、ワームルアー用リップ部材１の基板３を少し拗る（こじる）ようにして、そのワームルアー用リップ部材１をルアー本体２から引き抜いた後、フック７１（７２）をルアー本体２から引き抜けばよい。従って、釣り現場で、好みのワームルアー用リップ部材１を適宜選択してルアー本体２に容易に着脱することができる。また、このようなワームルアー用リップ部材１は、樹脂材の型成形により種々の形状に容易に製作して安価に提供できるので、機能の異なるワームルアー用リップ部材１を必要数揃えて携行することにより、興趣に富んだフィッシングをエンジョイすることができる。そのリップ本体５による誘魚効果を向上させるための機能は、実施の形態１と同様に、リップ本体５の面積や形状を変化させることによって多彩に変化させることができる。
【００３５】
図７（ａ）〜（ｄ）に示すワームルアー用リップ部材１では、リップ本体５は平板状に形成され、その長さＡ１＝12mm(10〜15mm)、幅Ｂ１＝6.06mm(6.0〜6.4mm)、厚みd1＝0.6mm(0.4〜0.8mm)、基板３の長さＣ＝11mm、幅Ｄ＝5mm、厚みｅ＝0.8mm(0.6〜1.0mm)に設定され、基板３には、その後端から前方に向けてスリット３ａが形成され、ワームルアー用リップ部材１のルアー本体２への装着時に、オフセットフック７２のオフセット部分をそのスリット３ａに嵌め込むことによって逃がせるようしている。そのリップ本体５の下向き傾斜角度θ１＝65°(60°〜70°)に設定される。また、リップ本体５と基板３の裏面側には補強用のリブ１０が差し渡し形成されている。このタイプのワームルアー用リップ部材１は、水面下30ｃｍ〜1mの範囲で潜行し潜行深度の幅が比較的に広いのが特徴である。尚、リップ本体５の下向き傾斜角度θ１が60°未満ではルアー本体２が潜行しにくくなり、下向き傾斜角度θ１が70°を超えるとルアー本体２の潜行動作が不安定になる。図示の例では、リップ本体５の幅はやや下広がり状に形成されて先端角部がＲ状に形成されるが、長手方向に同一幅で略矩形状に形成されてもよい。
【００３６】
図８（ａ）〜（ｄ）に示すワームルアー用リップ部材１では、リップ本体５は、長手方向の略中央部で下方に屈曲させている。その下向きの中折れ角度θ２は20°(15°〜25°)に設定され、その他の寸法、即ち、リップ本体５の長さ(符号省略)、リップ本体5の幅Ｂ、厚みd1、基板３の長さＣ、幅Ｄ、リップ本５の下向き傾斜角度θ１は、図２（ａ）〜（ｄ）のワームルアー用リップ部材１と同じである。このタイプのワームルアー用リップ部材１は、水面下15ｃｍ〜45ｃｍの範囲で比較的に潜行深度が浅く、キビキビした揺動動作をする。尚、中折れ角度θ２が15°未満では、ワームルアーの揺動動作が緩慢になりやすく、中折れ角度θ２が25°を超えると、揺動動作が不安定になりやすい。また、図示の例では、リップ本体５の幅はやや下広がり状に形成されて先端角部がＲ状に形成されるが、長手方向に同一幅で略矩形状に形成されてもよいのは、図２（ａ）〜（ｄ）のワームルアー用リップ部材１と同じである。
【００３７】
図９（ａ）〜（ｄ）に示すワームルアー用リップ部材１では、リップ本体５は平板状の下広がり形状に形成されて先端角部がＲ状に形成され、その長さＡ２はやや短く、幅Ｂ２はやや大きく設定され、リップ本体５の下向き傾斜角度θ３がやや大に設定される。即ち、Ａ２＝10mm(8〜12mm)、幅Ｂ＝8.74mm(7.0〜10mm)、厚みd1＝0.6mm(0.4〜0.8mm)に設定される。また、基板３の長さＣ、幅Ｄ、厚みｅは、図２（ａ）〜（ｄ）のワームルアー用リップ部材１と同じである。リップ本５の下向き傾斜角度θ３＝80°(75°〜85°)に設定される。このタイプのワームルアー用リップ部材１は、水面下10ｃｍ〜30ｃｍの浅い範囲で潜行し大きな横振れ状態に揺動動作する。尚、リップ本５の下向き傾斜角度θ３が75°未満ではルアー本体２の横振れが小さく、下向き傾斜角度θ3が85°を超えるとルアー本体２の横振れ動作が不安定になる。
【００３８】
図１０（ａ）〜（ｄ）に示すワームルアー用リップ部材１では、リップ本体５は後方に向けて凹ませたスプーン状に形成されて先端角部がＲ状に形成される。リップ本体５の長さＡ１、幅Ｂ１下向き傾斜角度θ１、及び、基板３の長さＣ、幅Ｄ、厚みｅは、図２（ａ）〜（ｄ）のワームルアー用リップ部材１と同じである。そのリップ本体５は、例えば厚みd2＝3mm(2〜4mm)、凹みの深さは1〜2mm程度に設定される。このタイプのワームルアー用リップ部材１は、釣糸が引かれた時等に、スプーン状に形成されたリップ本体５によって水を効果的に捕捉することができるため、水面下1.50ｍ以上の比較的に深い深度で潜行する。尚、図８〜図１０に示すワームルアー用リップ部材１にも、図７に示すような補強用リブ１０を設けるのが好ましい。
【００３９】
以上のように、本考案のワームルアー用リップ部材１は、ワームを模した軟質材からなるルアー本体２に何ら加工を施すことなく、基板３の上面に突設された先尖り状の掛止凸部６をルアー本体２に差し込むことにより、ルアー本体２に抜け止め状態に掛止させることができる。従って、釣り現場で、好みのワームルアー用リップ部材１を適宜選択してルアー本体２に容易に装着して、興趣に富んだフィッシングを楽しむことができる。尚、本考案のワームルアー用リップ部材は、以上説明した実施の形態に限定されることなく、考案の要旨を逸脱しない限りにおいて、適宜、必要に応じて、改良、変更等は自由であり、また、実施の形態間での構成の組み合わせも自由である。また、その各部の寸法については、適宜、自由に設定されてよい。また、ワームルアー用リップ部材は、ルアー本体の前端部でなくても、その前端部の近傍部位に取り付けられてもよい。
【産業上の利用可能性】
【００４０】
本考案のワームルアー用リップ部材は、ワームを模した軟質材からなるルアー本体に何ら加工を施すことなく、ルアー本体に対して抜け止め状態に容易に掛止させることができるので、各種のワームルアーの誘魚効果を向上させるために、好適に適用することができる。
【符号の説明】
【００４１】
１  ワームルアー用リップ部材
２  ルアー本体
３  基板
３ａ  スリット
４  係止部材
５  リップ本体
６  掛止凸部
６１〜６４  鉤状掛止片
７１  ストレートフック
７１ａ  針先
７１ｂ  錘
７１ｃ  糸孔
７２  オフセットフック
８  開口
９  スリット
１０  リブ
ｃ  隙間
【図１】
0003151272.tif 000003
【図２】
0003151272.tif 000004
【図３】
0003151272.tif 000005
【図４】
0003151272.tif 000006
【図５】
0003151272.tif 000007
【図６】
0003151272.tif 000008
【図７】
0003151272.tif 000009
【図８】
0003151272.tif 000010
【図９】
0003151272.tif 000011
【図１０】
0003151272.tif 000012
【手続補正書】
【提出日】平成21年4月8日(2009.4.8)
【手続補正１】
【補正対象書類名】実用新案登録請求の範囲
【補正対象項目名】請求項２
【補正方法】変更
【補正の内容】
【請求項２】
前記硬質材は、アクリル樹脂、ＡＢＳ樹脂又はＰＯＭ樹脂からなることを特徴とする請求項１に記載のワームルアー用リップ部材
【手続補正２】
【補正対象書類名】明細書
【補正対象項目名】０００９
【補正方法】変更
【補正の内容】
【０００９】
前記硬質材は、アクリル樹脂、ＡＢＳ樹脂又はＰＯＭ樹脂（例えばジュラコン（登録商標））からなるものであってもよい。
【手続補正３】
【補正対象書類名】明細書
【補正対象項目名】００１７
【補正方法】変更
【補正の内容】
【００１７】
このようなワームルアー用リップ部材にあって、リップ部材を構成する硬質材を、アクリル樹脂、ＡＢＳ樹脂又はＰＯＭ樹脂（例えばジュラコン（登録商標））にすれば充分な硬さが得られるため、例えばポリ塩化ビニール等の軟質合成樹脂やゴム等で形成されたルアー本体に対して先尖り状の掛止凸部を安定な抜け止め状態で掛止させることができる。また、成形性が良好で容易に製作することができ、安価に提供することができる。
【手続補正書】
【提出日】平成21年4月9日(2009.4.9)
【手続補正１】
【補正対象書類名】明細書
【補正対象項目名】００２５
【補正方法】変更
【補正の内容】
【００２５】
以下に、本発明のワームルアー用リップ部材の実施の形態について図面を参照しつつ詳細に説明する。
〔実施の形態１〕
図１（ａ）はストレートフック用のワームルアー用リップ部材１の斜視図、（ｂ）はワームを模したルアー本体２の前端部にワームルアー用リップ部材１を取り付けた使用可能状態の斜視図である。そのルアー本体２は、ポリ塩化ビニール材等の軟質合成樹脂材又はゴム等で形成される一方、ワームルアー用リップ部材１は、アクリル樹脂、ＡＢＳ樹脂又はＰＯＭ樹脂（例えばジュラコン（登録商標））等の硬質合成樹脂材で形成される。そのワームルアー用リップ部材１は、矩形の平板状に形成される基板３と、その基板３の前部に立ち上げられる係止部材４と、基板３の前端から斜め下方に延出される平板状のリップ本体５と、を備えている。その基板３の上面には、抜け止め効果のある先尖りの掛止凸部６が突設されている。この掛止凸部６は、基板３の中間部の両側に間隔をおいて立設される２本の鉤状掛止片６１，６２と、基板３の後部に立設される一対の鉤状掛止片６３，６４とからなり、後部に立設される鉤状掛止片６３，６４の間には、ストレートフック７１の直線部分を挿通させるための隙間ｃが形成されている。また、係止部材４には、ストレートフック７１を挿通させるための開口８が形成され、その開口８には、外部からストレートフック７１を開口８に挿入するためのスリット９が上向きに形成されている。